(57)【要約】【課題】電気機器の作動状況に連動して電子マニュアルの該当部分を表示する。【解決手段】チューブ接合システム２００は、チューブを接合するチューブ接合装置１（電気機器）と、チューブ接合装置１の電子マニュアルを表示する電子マニュアル表示装置１５０とを有し、チューブ接合装置１は、自己の作動状況を検出する作動状況検出部と、電子マニュアルを表示させるために、検出した作動状況を送信する送信部と、を有し、電子マニュアル表示装置１５０は、チューブ接合装置１の作動状況を受信する受信部と、受信した作動状況から電子マニュアルの該当部分を抽出する抽出部と、抽出した電子マニュアルの該当部分を表示する表示部１５８と、を有する。【選択図】図１２
2019063406.tif 000002
【特許請求の範囲】
【請求項１】
電気機器の自己の作動状況を検出する作動状況検出部と、
前記電気機器の電子マニュアルを表示させるために、検出した作動状況を送信する送信部と、
を有する、電気機器。
【請求項２】
請求項１に記載の電気機器の作動状況を受信する受信部と、
受信した作動状況から前記電気機器の電子マニュアルの該当部分を抽出する抽出部と、
抽出した前記電子マニュアルの該当部分を表示する表示部と、
を有する電子マニュアル表示装置。
【請求項３】
電気機器と、前記電気機器の電子マニュアルを表示する電子マニュアル表示装置とを有する電気機器システムであって、
前記電気機器は、自己の作動状況を検出する作動状況検出部と、前記電気機器の電子マニュアルを表示させるために、検出した作動状況を送信する送信部と、を有し、
前記電子マニュアル表示装置は、前記電気機器の作動状況を受信する受信部と、受信した作動状況から前記電気機器の電子マニュアルの該当部分を抽出する抽出部と、抽出した電子マニュアルの該当部分を表示する表示部と、を有する電気機器システム。
【請求項４】
前記作動状況検出部が検出する作動状況とは、前記電気機器が備えるスイッチのＯＮ、ＯＦＦ状態、センサの検出状態である、請求項３に記載の電気機器システム。
【請求項５】
前記表示部によって表示される前記電気機器の電子マニュアルは、静止画、イラストレーション、アニメーション、動画のいずれかである、請求項３に記載の電気機器システム。
【請求項６】
前記電気機器は、医療用の装置である、請求項３から５のいずれかに記載の電気機器システム。
【請求項７】
前記医療用の装置は、チューブを接合するチューブ接合装置である、請求項６に記載の電気機器システム。
【請求項８】
電気機器の作動状況を検出する段階と、
検出した作動状況を送信する段階と、
送信した作動状況を受信する段階と、
受信した作動状況から前記電気機器の電子マニュアルの該当部分を抽出する段階と、
抽出した電子マニュアルの該当部分を表示部に表示させる段階と、
を含む、電子マニュアル表示処理方法。
【請求項９】
電気機器に、
自己の作動状況を検出させる段階と、
検出した作動状況を送信させる段階と、を実行させ、
前記電気機器の電子マニュアルを表示する電子マニュアル表示装置に、
前記電気機器から送信された作動状況を受信させる段階と、
受信した作動状況から前記電気機器の電子マニュアルの該当部分を抽出させる段階と、
抽出した電子マニュアルの該当部分を表示部に表示させる段階と、を実行させる、
電子マニュアル表示処理プログラム。
【発明の詳細な説明】
【技術分野】
【０００１】
本発明は、電気機器、電子マニュアル表示装置、電気機器システム、電子マニュアル表示処理方法および電子マニュアル表示処理プログラムに関する。
【背景技術】
【０００２】
近年、電気製品の取扱説明書は、サーバーに格納されている電子マニュアルをインターネット経由で閲覧し、または、ダウンロードにより入手する。これは、チューブの接合に使用されるチューブ接合装置についても同様である。電子マニュアルは、単に、チューブ接合装置の一台一台に添付されていた紙の取扱説明書に代わるものであり、その記載内容はＰＣ（パーソナルコンピュータ）などの端末のディスプレイに表示する。
【０００３】
電子マニュアルは、ユーザーがチューブ接合装置の取り扱い方を確認する場合に用いる。しかし、ユーザーは、電子マニュアルの全般的な構成を知らなければ、その確認に必要な頁に素早くたどり着くことはできず、紙の取扱説明書と同様、使い勝手の面で問題がある。また、電子マニュアルの場合、頁をめくるためには端末を操作しなければならず、取り扱い方を確認しながら頁をめくる操作をすることが煩わしいという問題もある。
【０００４】
この電子マニュアルの使い勝手の問題を解消するものとして、特許文献１に記載されているように、タブレットを叩いて電子マニュアルの頁をめくる技術がある。
【先行技術文献】
【特許文献】
【０００５】
【特許文献１】特開２０１５−  ３５０７６号公報
【発明の概要】
【発明が解決しようとする課題】
【０００６】
しかし、チューブ接合装置は、一般的な電気製品とは異なり、その取扱いが複雑で難しい。そのため、特許文献１に記載されているように、タブレットを叩いて電子マニュアルの頁がめくれるようにしても、必要な頁を表示させることは容易ではない。つまり、特許文献１に記載されている技術では、操作性は改善されるが、使い勝手は依然として改善されない。
【０００７】
本発明は、上記のような従来の電子マニュアルの使い勝手の悪さを解消するために成されたものであり、電気機器の作動状況に連動して電子マニュアルの該当部分を表示させることができる、電気機器、電子マニュアル表示装置、電気機器システム、電子マニュアル表示処理方法および電子マニュアル表示処理プログラムの提供を目的とする。
【課題を解決するための手段】
【０００８】
本発明に係る電気機器は、電気機器の自己の作動状況を検出する作動状況検出部と、前記電気機器の電子マニュアルを表示させるために、検出した作動状況を送信する送信部と、を有する。
【０００９】
本発明に係る電子マニュアル表示装置は、上記電気機器の作動状況を受信する受信部と、受信した作動状況から前記電気機器の電子マニュアルの該当部分を抽出する抽出部と、抽出した電子マニュアルの該当部分を表示する表示部と、を有する。
【００１０】
本発明に係る電気機器システムは、電気機器と、電気機器の電子マニュアルを表示する電子マニュアル表示装置とを有し、電気機器は、自己の作動状況を検出する作動状況検出部と、電気機器の電子マニュアルを表示させるために、検出した作動状況を送信する送信部と、を有し、電子マニュアル表示装置は、電気機器の作動状況を受信する受信部と、受信した作動状況から電気機器の電子マニュアルの該当部分を抽出する抽出部と、抽出した電子マニュアルの該当部分を表示する表示部と、を有する。
【００１１】
本発明に係る電子マニュアル表示処理方法は、電気機器の作動状況を検出する段階と、検出した作動状況を送信する段階と、送信した作動状況を受信する段階と、受信した作動状況から電気機器の電子マニュアルの該当部分を抽出する段階と、抽出した電子マニュアルの該当部分を表示部に表示させる段階と、を含む。
【００１２】
本発明に係る電子マニュアル表示処理プログラムは、電気機器に、自己の作動状況を検出させる段階と、検出した作動状況を送信させる段階と、を実行させ、電気機器の電子マニュアルを表示する電子マニュアル表示装置に、電気機器から送信された作動状況を受信させる段階と、受信した作動状況から電気機器の電子マニュアルの該当部分を抽出させる段階と、抽出した電子マニュアルの該当部分を表示部に表示させる段階と、を実行させる。
【発明の効果】
【００１３】
本発明に係る電気機器によれば、自己の作動状況を送信する機能を有しているので、外部の端末に、電気機器の作動状況に連動させて、電子マニュアルの該当部分を表示させることができる。
【００１４】
本発明に係る電子マニュアル表示装置によれば、受信した作動状況から電子マニュアルの該当部分を抽出する機能を有しているので、電気機器の作動状況に連動させて、電子マニュアルの該当部分を表示させることができる。
【００１５】
本発明に係る電気機器システムによれば、電気機器の作動状況に連動させて、電子マニュアルの該当部分を表示させることができる。
【００１６】
本発明に係る電子マニュアル表示処理方法および電子マニュアル表示処理プログラムによれば、電気機器の作動状況に連動させて、電子マニュアルの該当部分を表示させることができる。
【図面の簡単な説明】
【００１７】
【図１】本実施形態に係るチューブ接合装置の斜視図である。
【図２】図１に示すチューブ接合装置をＪ１方向から見た側面図である。
【図３】図１に示すチューブ接合装置をＪ２方向から見た側面図である。
【図４】図１に示すチューブ接合装置の底面図である。
【図５】図５（Ａ）は、図１に示す筐体の正面部側に設けられている操作パネル部の構成例を示す図、図５（Ｂ）は、図１に示す筐体の上面部に設けられている表示部の構成例を示す図である。
【図６】図１に示すＲＴ方向に蓋部材を開いた際の様子を示す斜視図である。
【図７】蓋部材および筐体の内部構造を簡略化して示す図である。
【図８】チューブ接合装置の筐体内に配置されている構成要素の概略の配置例を示す斜視図である。
【図９】接合後のチューブを説明するための図であって、図９（Ａ）は、接合後の各チューブを拡大して示す図、図９（Ｂ）は、接合後の各チューブの配設状態を模式的に示す図である。
【図１０】チューブ接合装置の制御系のブロック図である。
【図１１】電子マニュアル表示装置の制御系のブロック図である。
【図１２】チューブ接合装置と電子マニュアル表示装置とから構成されるチューブ接合システムを示す図である。
【図１３】チューブ接合システムの動作フローチャートである。
【図１４】電子マニュアルの表示態様を示す図である。
【図１５】電子マニュアルの表示態様を示す図である。
【図１６】電子マニュアルの表示態様を示す図である。
【図１７】電子マニュアルの表示態様を示す図である。
【図１８】電子マニュアルの表示態様を示す図である。
【発明を実施するための形態】
【００１８】
以下、図面を参照して、本発明の実施形態を説明する。なお、図面の寸法比率は、説明の都合上誇張されており、実際の寸法比率とは異なる場合がある。本実施形態では、チューブ接合装置を例示して説明する。しかし、本発明は、チューブ接合装置以外の医療用の装置だけではなく、医療用の装置以外の、例えば家電製品などの電気機器に対しても適用できる。
【００１９】
図１は、本実施形態に係るチューブ接合装置の斜視図である。図２は、図１に示す矢印Ｊ１方向から見たチューブ接合装置の側面図である。図３は、図１に示す矢印Ｊ２方向から見たチューブ接合装置の側面図である。図４は、チューブ接合装置を底面部側から見た斜視図である。また、図９は、接合後のチューブを説明するための図であって、図９（Ａ）は、接合後の各チューブを拡大して示す図、図９（Ｂ）は、接合後の各チューブの配設状態を模式的に示す図である。
【００２０】
図１に示すチューブ接合装置１は、図９に示すように、複数のチューブＴ１、Ｔ２のそれぞれの端部を溶断し、溶断した各端部同士を無菌状態で加圧して接合するものである。本実施形態においては、腹膜透析液バッグの透析液チューブ（チューブＴ１に相当する）と、腹膜透析をする際に使用される患者の腹膜カテーテル側のチューブ（チューブＴ２に相当する）の接合に使用される医療装置に適用した例を通じてチューブ接合装置を説明する。
【００２１】
図１、図２、図３に示すように、チューブ接合装置１は、例えば、筐体２と、チューブ接合装置１に各チューブＴ１、Ｔ２（図９参照）をセットする際にそのセットの補助に使用されるチューブセット補助具４とを有する。
【００２２】
筐体２は、上側筐体部分２Ｗと、上側筐体部分２Ｗと組み合わせられる下側筐体部分２Ｖと、上側筐体部分２Ｗの上部側に設けられた開閉可能な蓋部材３とを有する。
【００２３】
筐体２は、後述するように、チューブ接合装置１の各構成要素を収容する。蓋部材３は、この筐体２の上部に配置している。
【００２４】
チューブセット補助具４は、筐体２に対して着脱可能に取り付けられている。筐体２と蓋部材３は、例えば、明度の比較的高い明るい色、具体的には、クリーム色あるいは白色で構成できる。また、使用者（実際にチューブ接合装置を使用する者や患者など）が、筐体２、蓋部材３、チューブセット補助具４のそれぞれを、視覚的に明確に区別できるようにするために、チューブセット補助具４は、例えば、オレンジ色で構成できる。
【００２５】
筐体２は、図１から図４に示すように、底面部２Ａ、正面部２Ｂ、右側面部２Ｃ、左側面部２Ｄ、背面部２Ｅ、上面部２Ｆを有するケースによって構成している。このケースは、図示するように、面取りがされた略直方体形状の形状を有している。
【００２６】
図４に示すように、底面部２Ａの四隅には、それぞれ設置用部材２Ｇを取り付けている。重量が比較的大きなチューブ接合装置１は、これらの設置用部材２Ｇが用いられることにより机面のような設置面に対して滑らないように置かれる。これにより、２本のチューブＴ１、Ｔ２を接合する作業時などにチューブ接合装置１に位置ずれが生じることを防止でき、接合作業を安定した状態で実施できる。
【００２７】
底面部２Ａには、例えば、バッテリ交換用の蓋部材２Ｈを設けることができる。この蓋部材２Ｈは、例えば、ねじ２Ｉのような固定部材により着脱可能に取り付けることができる。ねじ２Ｉを外して、蓋部材２Ｈを取り外せば、図４中において破線で示されるバッテリＢＡを交換できる。蓋部材２Ｈは、例えば、正面部２Ｂよりも背面部２Ｅ寄り側に配置できる。また、蓋部材２Ｈは、ファンＦＮの排気用開口部６から離れた位置に配置している。
【００２８】
図４に示すように、底面部２Ａには、音声用開口部５と排気用開口部６が形成されている。音声用開口部５と排気用開口部６は、例えば、バッテリ交換用の蓋部材２Ｈと正面部２Ｂとの間に形成される。
【００２９】
音声用開口部５は、複数の細長い貫通穴５Ａにより構成されており、排気用開口部６は、複数の細長い貫通穴６Ａにより構成されている。
【００３０】
底面部２Ａの内側には、破線で示すようにスピーカＳＰと排気装置としてのファンＦＮが配置されている。このファンＦＮは、接合動作を終えた後にウェハーＷＦを冷却する冷却用ファンとしての機能も有する。
【００３１】
音声用開口部５は、スピーカＳＰが発生する音声ガイダンスや警告音などを、筐体２の外部に出力するために設けられている。これにより、使用者はスピーカＳＰが発生する音声ガイダンスや警告音などを明瞭に聞くことができる。
【００３２】
排気用開口部６は、冷却用のファンＦＮが作動することで筐体２の内部で発生する熱や内部を通るガスを筐体２の外部に強制的に排出するために設けられている。これにより、筐体２内の熱や内部を通るガスを右側面部２Ｃ、左側面部２Ｄではなく、底面部２Ａ側から筐体２の外部に排出できる。
【００３３】
図４に示すように、筐体２の底面部２Ａには、その他にも、複数本のリブ２ＪがＹ方向に平行に形成されている。これらのリブ２Ｊは、チューブセット補助具４を筐体２に対して着脱自在に取り付ける際の、ガイド部分としての機能を有している。
【００３４】
次に、図５を参照して、操作パネル部７と表示部８の構成について説明する。
【００３５】
図５（Ａ）は、図１に示す筐体２の正面部２Ｂ側に設けられている操作パネル部７を示している。図５（Ｂ）は、図１に示す筐体２の上面部２Ｆに設けられている表示部８を示している。
【００３６】
図５（Ａ）に示す操作パネル部７は、［電源スイッチ］ボタン７Ｂ、［電源］ランプ７Ｃ、［充電中］ランプ７Ｄ、［接合］ボタン７Ｅ、［接合］ランプ７Ｆ、［ウェハー取り出し］ランプ７Ｇを有している。
【００３７】
［電源］ランプ７Ｃ、［充電中］ランプ７Ｄ、［接合］ランプ７Ｆ、および［ウェハー取り出し］ランプ７Ｇは、操作パネル部７における各種の状態を表す表示用のランプである。各ランプは、例えば、緑色のＬＥＤ（発光ダイオード）ランプで構成できる。
【００３８】
［電源スイッチ］ボタン７Ｂは、チューブ接合装置１に電源を入れるために押されるボタンである。［電源］ランプ７Ｃは、［電源スイッチ］ボタン７Ｂを押すことにより点灯する。
【００３９】
［接合］ボタン７Ｅは、使用者が２本のチューブＴ１、Ｔ２のそれぞれの端部を溶断して、各チューブＴ１、Ｔ２の端部を入れ替えて加圧接合する溶断−接合作業を開始する際に押すボタンである。［接合］ランプ７Ｆは、［接合］ボタン７Ｅを押すと点灯する。また、［接合］ランプ７Ｆは、チューブ接合装置１の故障時に、故障状態にあることを使用者に警告するために点滅するように構成できる。
【００４０】
［充電中］ランプ７Ｄは、図４に示すバッテリＢＡに対して商用交流電源側からの充電が行われている場合に点灯する。
【００４１】
［ウェハー取り出し］ランプ７Ｇは、２本のチューブＴ１、Ｔ２の接合が終了して、使用者が使用済みのウェハーＷＦを筐体２から取り出して排出できるような状態になると点灯または点滅する。
【００４２】
図５（Ｂ）に示す表示部８は、［カバー閉じる］ランプ８Ｂ、［ウェハーカセット交換］ランプ８Ｃ、［ウェハー不良］ランプ８Ｄ、［要充電］ランプ８Ｅ、［室温不適］ランプ８Ｆ、［装置故障］ランプ８Ｇを有している。
【００４３】
［装置故障］ランプ８Ｇは、チューブ接合装置１が故障したことを知らせる警告ランプである。［装置故障］ランプ８Ｇは、例えば、赤色のＬＥＤランプにより構成できる。その他のランプは、警報表示ランプとして構成されており、例えば、黄色のＬＥＤランプにより構成できる。
【００４４】
図１と図２を再度参照して、筐体２の右側面部２Ｃには、ウェハーカセット挿入部２０と、ウェハーカセット取り出しボタン２１が設けられている。
【００４５】
ウェハーカセット挿入部２０は、図１に示すウェハーカセットＷＣを着脱可能に挿入するための長方形状の開口部により構成している。ウェハーカセットＷＣがウェハーカセット挿入部２０を通じて筐体２内に挿入された状態で、使用者が指でウェハーカセット取り出しボタン２１を押し込むことで、ウェハーカセットＷＣはウェハーカセット挿入部２０を通じて筐体２の外部に取り出すことができる。ウェハーカセットＷＣは各チューブＴ１、Ｔ２の溶断に使用される複数個のウェハーＷＦが収容された容器によって構成している。
【００４６】
図３に示すように、筐体２の左側面部２Ｄには、音量調整ボリューム２２と、音声メッセージ切替えスイッチ２３を設けている。
【００４７】
使用者が音量調整ボリューム２２をスライドすることで音声メッセージの音量の大小を好みに応じて調整できる。また、使用者が音声メッセージ切替えスイッチ２３を例えば「無」の状態から「有」の状態にスライドすることで、所定の音声メッセージを図４に示すスピーカＳＰから出力できる。使用者が音声メッセージ切替えスイッチ２３を例えば「無」の状態にすれば、スピーカＳＰから、例えば、所定のブザー音を出力させることができる。
【００４８】
次に、筐体２に設置された蓋部材３について説明する。
【００４９】
図１に示すように、蓋部材３は、例えば、操作パネル部７と表示部８との間に配置できる。
【００５０】
図６は、図１に示す矢印ＲＴ方向に蓋部材３を開いた状態における筐体２を示す斜視図である。
【００５１】
蓋部材３は、図６に示すように、クランプ板３０と、クランプ操作部３１と、被覆カバー３２とを有している。
【００５２】
クランプ操作部３１は使用者が手指で蓋部材３を開閉する際に使用される。クランプ操作部３１と、クランプ板３０、および被覆カバー３２を、それぞれ目視で容易に区別できるようにするために、例えば、クランプ操作部３１は緑色に着色でき、クランプ板３０と被覆カバー３２は、例えば、クリーム色あるいは白色に着色できる。
【００５３】
図１に示すように、クランプ板３０の表面には、２本のチューブＴ１、Ｔ２（図９参照）の挿入状態を模式的に記した確認シール３０Ｓを貼り付けることができる。チューブ接合装置１を使用する際に、使用者が確認シール３０Ｓを目視することにより、２本のチューブＴ１、Ｔ２が蓋部材３と筐体側クランプ部５０（図６参照）の間に正しくセットされているか否かを簡易的に確認することが可能になっている。
【００５４】
図１と図６に示すように、蓋部材３のクランプ板３０は、中心軸ＣＬを中心として図１に示す閉じた状態から図６に示す９０度を超える角度まで開くことができるように筐体２に取り付けている。
【００５５】
蓋部材３の被覆カバー３２は、筐体２に対して中心軸ＣＬ１を中心にして回転できるように取り付けている。この被覆カバー３２に設けられた突起３２Ｔは、クランプ板３０に設けられたガイド溝３０Ｒにはめ込まれている。突起３２Ｔとガイド溝３０Ｒを設けることにより、クランプ板３０が筐体２に対して中心軸ＣＬを中心として図６に示す９０度を超える角度まで開く際に、被覆カバー３２がクランプ板３０の動きに追従して持ち上げられるように動作する。
【００５６】
図１と図６に示すように、クランプ操作部３１は、クランプ板３０の先端部３０Ｄに所定のピン（図示省略）を介して取り付けている。クランプ操作部３１は、このピンにより、中心軸ＣＬ２を中心として回転できるように軸支されている。
【００５７】
図６に示すように、クランプ操作部３１は、幅方向にそれぞれ所定の間隔を空けて配置された一対の係合爪３１Ｍを有している。筐体２には、幅方向にそれぞれ所定の間隔を空けて配置された一対の突起部３３を取り付けている。クランプ操作部３１の各係合爪３１Ｍは、筐体２の各突起部３３にそれぞれ引っ掛けて固定できる。
【００５８】
図６に示すように、蓋部材３が開いた状態で、使用者がクランプ操作部３１を指で持って、中心軸ＣＬを中心にして矢印ＲＳ方向に回転させると、図１に示すように、クランプ板３０により筐体側クランプ部５０が上側から覆われる。そして、使用者がクランプ操作部３１を指で持って、中心軸ＣＬ２を中心に矢印ＲＧ方向に回転させると、図６に示す一対の係合爪３１Ｍが、筐体２の対応する位置にそれぞれ形成された突起部３３に対して噛み合わされる。これにより、蓋部材３は、筐体２に設けられた筐体側クランプ部５０を上から閉じる。
【００５９】
なお、図６のクランプ操作部３１の結合爪３１Ｍが突起部３３に噛み合わされると、信号を出力することで被覆カバー３２が閉じられている状態を検出し、噛み合わせが解除されると、信号を出力しないことで被覆カバー３２が開けられている状態を検出する、カバー開閉検出センサ（図示省略）が設けてある。
【００６０】
図６と図７に示すように、筐体２の操作パネル部７の付近には、溶断に使用されたウェハーＷＦが送り込まれる取出し口５８が設けられている。取出し口５８は、ウェハーＷＦが通る所定の隙間５７（図７参照）の延長上に配置している。取出し口５８が隙間５７の延長上に設けられているため、使用者は取出し口５８に案内されたウェハーＷＦを、指で摘んで容易に取り出すことができる。
【００６１】
図７中の破線部（拡大図）に示すように、取出し口５８の付近には、円形の穴が形成されている。また、この円形の穴には、棒状のインターロック６０が配置されている。
【００６２】
インターロック６０は、例えば、電磁駆動式のソレノイド６１のロッドにより構成される。ソレノイド６１は、制御部１００から送信される指令により、図７中の破線で示す状態から実線で示すＺ１方向へ上昇する。上昇したインターロック６０によりクランプ操作部３１の前端部が押さえられる。その結果、例えば２本のチューブＴ１、Ｔ２を溶断して接合している最中に、蓋部材３が開かないようにして閉じた状態をより確実に維持できる。
【００６３】
図７に示すソレノイド検出センサ８９は、例えば、光８９Ｌを出射する発光部８９Ａと、光８９Ｌを受光可能な受光部８９Ｂとを有するフォトカプラにより構成できる。ソレノイド検出センサ８９により蓋部材３の開閉状態が検出される。検出結果は制御部１００へ送信される。
【００６４】
図８は、チューブ接合装置１の筐体２内に配置されている構成要素の概略の配置例を示す斜視図である。
【００６５】
図８に示すように、筐体２内には、メイン基板８０、ＤＣ入力基板８１、ウェハーカセット収納ユニット８２、ウェハー送りユニット８３、固定クランプユニット７１、可動クランプユニット７２、ソレノイド６１、スピーカＳＰ、ファンＦＮ、そしてバッテリＢＡが収容されている。
【００６６】
ＤＣ入力基板８１は、例えば、メイン基板８０から可能な限り離れた位置に配置されていることが好ましい。ＤＣ入力基板８１からのノイズがメイン基板８０に搭載されている回路要素に対して影響を与えないためである。
【００６７】
次に、図１０を参照して、チューブ接合装置１の制御部１００の機能を説明する。図１０は、チューブ接合装置１の制御系のブロック図である。
【００６８】
チューブ接合装置１は、当該装置の各部の動作を統轄的に制御する制御部１００を有している。制御部１００は、マイクロコンピュータなどのＣＰＵと、ＣＰＵにより実行される装置全体の制御プログラムや各種データを記憶するＲＯＭと、ワークエリアとして測定データや各種データを一時的に記憶するＲＡＭとを備えている。
【００６９】
図１０に示すように、制御部１００にはバッテリＢＡが接続されている。制御部１００は、図８に示すように、ＤＣ入力基板８１側のバッテリＢＡから電源供給を受ける。このＤＣ入力基板８１は、図１に示すように、ジャック８４を有している。ジャック８４は、充電器８６の接続ピン８６Ｐに接続されることで、商用交流電源から交流／直流変換した所定のＤＣ電源を受ける。充電器８６からのＤＣ電源は、バッテリＢＡの充電に用いられる。バッテリＢＡに充電されたＤＣ電源は、制御部１００へ供給される。
【００７０】
制御部１００には、操作部１１０が接続されている。操作部１１０は、図５（Ａ）にそれぞれ示された操作パネル部７の［電源スイッチ］ボタン７Ｂと、［接合］ボタン７Ｅを含む。
【００７１】
制御部１００には、表示部８が接続されている。表示部８は、図５（Ｂ）にそれぞれ示された［カバー閉じる］ランプ８Ｂ、［ウェハーカセット交換］ランプ８Ｃ、［ウェハー不良］ランプ８Ｄ、［要充電］ランプ８Ｅ、［室温不適］ランプ８Ｆ、［装置故障］ランプ８Ｇを含む。これらのランプは、制御部１００の指令により点灯または点滅する。なお、図５（Ｂ）では、ランプのみで表示部８を構成しているが、液晶や有機ＥＬなどのカラーディスプレイにより表示部８を構成しても良い。
【００７２】
制御部１００には、チューブ検出センサ９０が接続されている。チューブ検出センサ９０は、図６に示す筐体側クランプ部５０に設けられている。チューブ検出センサ９０は、図９に示すチューブＴ１、Ｔ２が正しくセットされているか、正しくセットされていないかを検出する。チューブＴ１、Ｔ２が正しくセットされている場合、チューブ検出センサ９０は信号を出力し、正しくセットされていない場合、チューブ検出センサ９０は信号を出力しない。正しくセットされていない場合、制御部１００には、「２本のチューブＴ１、Ｔ２が正しくはめ込まれていないこと」が通知される。
【００７３】
制御部１００には、ソレノイド検出センサ８９が接続される。図７に示すインターロック６０のソレノイド６１は、制御部１００の指令により作動する。ソレノイド６１のインターロック６０が下端位置６０Ｌにある場合には、インターロック６０が破線で示すように発光部８９Ａからの光８９Ｌを遮るので、受光部８９Ｂは、制御部１００に対して「蓋部材３をインターロックしていないという信号」を送信する。これに対して、ソレノイド６１のインターロック６０が上端位置６０Ｈにある場合には、インターロック６０が実線で示すように発光部８９Ａからの光８９Ｌを遮らないので、受光部８９Ｂは、制御部１００に対して「蓋部材３をインターロックしているという信号」を送信する。
【００７４】
制御部１００には、カバー開閉検出センサ９１が接続される。カバー開閉検出センサ９１は、図６に示す被覆カバー３２が閉じられている状態と開けられている状態とを検出する。具体的には、クランプ操作部３１の結合爪３１Ｍが突起部３３に噛み合わされると、信号を出力し、被覆カバー３２が閉じられている状態を検出する。また、その噛み合わせが解除されると、信号を出力せず、被覆カバー３２が開けられている状態を検出する。
【００７５】
制御部１００内には、チューブ接合装置１の作動状況を検出する作動状況検出部１２０が設けられている。作動状況とは、チューブ接合装置が備えるスイッチのＯＮ、ＯＦＦ状態、センサの検出状態である。作動状況検出部１２０は、たとえば、操作部１１０の［電源スイッチ］ボタン７Ｂが操作されたことを検出して、電源が入っている状態であることを検出し、［接合］ボタン７Ｅが操作されたことを検出して、チューブＴ１、Ｔ２の接合が行われていることを検出する。
【００７６】
制御部１００には、電子マニュアルを表示させるために、作動状況検出部１２０が検出したチューブ接合装置１の作動状況を送信する送信部８５が接続されている。
【００７７】
図１１は、チューブ接合装置１の電子マニュアルを表示する電子マニュアル表示装置の制御系のブロック図である。電子マニュアル表示装置１５０は、チューブ接合装置１の作動状況に連動させて、電子マニュアルの該当部分を表示する。
【００７８】
電子マニュアル表示装置１５０は、図１１に示すように、電子マニュアル記憶部１５２、受信部１５４、抽出部１５６、表示部１５８を有する。
【００７９】
電子マニュアル記憶部１５２は、チューブ接合装置１の電子マニュアルを記憶している。電子マニュアルは、インターネットを介してサーバーからダウンロードされる。電子マニュアルは、静止画、イラストレーション、アニメーション、動画のいずれかである。
【００８０】
受信部１５４は、チューブ接合装置１の送信部８５（図１０参照）が送信したチューブ接合装置１の作動状況を受信する。
【００８１】
抽出部１５６は、受信部１５４が受信したチューブ接合装置１の作動状況に応じて、電子マニュアル記憶部１５２に記憶されている電子マニュアルを参照し、電子マニュアルの該当部分を抽出する。
【００８２】
表示部１５８は、抽出部１５６が抽出した電子マニュアルの該当部分を表示する。
【００８３】
図１２は、チューブ接合装置と電子マニュアル表示装置とから構成されるチューブ接合システムを示す図である。
【００８４】
図１２に示すように、チューブ接合装置１と電子マニュアル表示装置１５０とでチューブ接合システム２００が構成される。電子マニュアル表示装置１５０は、たとえば、タブレットやスマートフォンなどの携帯端末を用いることができる。なお、チューブ接合装置１の構成は、図１から図８、図１０に示した通りであり、電子マニュアル表示装置１５０の構成は、図１１に示した通りである。チューブ接合システム２００は、たとえば次のように動作する。
【００８５】
図１３は、チューブ接合システムの動作フローチャートである。この動作フローチャートは、チューブ接合装置１と連動して電子マニュアルがどのようにして表示されるのかを例示している。図示左側に示してあるフローチャートは、チューブ接合装置１に対して操作者が行う手順を示す。図示右側に示してあるフローチャートは、電子マニュアル表示装置１５０が行う手順を示す。また、図１４から図１８は、電子マニュアルの表示態様を示す図である。
【００８６】
図１３の動作フローチャートの手順を、図１から図１２および図１４から図１８を参照しながら詳細に説明する。
【００８７】
まず、操作者は、操作部１１０の［電源スイッチ］ボタン７Ｂ（図５（Ａ）参照）を１秒以上長押しする（Ｓ１００）。チューブ接合装置１の作動状況検出部１２０（図１０参照）は、［電源スイッチ］ボタン７Ｂが長押しされて起動処理が終了されたことを認識し、送信部８５から、起動処理が終了されたことを送信する。
【００８８】
電子マニュアル表示装置１５０の受信部１５４（図１１）は、起動処理が終了されたされたことを受信する。抽出部１５６は、起動処理が終了された後に操作者が行うべきことが記載されている、電子マニュアルの該当頁を電子マニュアル記憶部１５２に記憶されている電子マニュアルの中から抽出する。次に、抽出部１５６は、抽出した頁を表示部１５８に表示させる（Ｓ２００）。このように、電子マニュアルの頁をチューブ接合装置１の作動状況に応じて自動遷移する。
【００８９】
操作者は、表示部１５８に表示されている電子マニュアルの記載内容を見て、チューブ接合装置１の被覆カバー３２（図６参照）を開ける（Ｓ１０１）。被覆カバー３２が開けられているときには、カバー開閉検出センサから信号が出力されない。作動状況検出部１２０は、被覆カバー３２が開けられたことを認識し、送信部８５から、被覆カバー３２が開けられたことを送信する。
【００９０】
受信部１５４は、被覆カバー３２が開けられたことを受信する。抽出部１５６は、被覆カバー３２が開けられた後に操作者が行うべきことを記載した、電子マニュアルの該当頁を電子マニュアル記憶部１５２に記憶されている電子マニュアルの中から抽出する。次に、抽出部１５６は、抽出した頁を表示部１５８に表示させる（Ｓ２０１）。
【００９１】
操作者は、表示部１５８に表示されている電子マニュアルの記載内容を見て、チューブ接合装置１の溝に透析液チューブをセットする（Ｓ１０２）。透析液チューブがセットされると、チューブ検出センサ９０から信号が出力される。作動状況検出部１２０は、透析液チューブが正しくセットされたことを認識し、送信部８５から、透析液チューブが正しくセットされたことを送信する。
【００９２】
受信部１５４は、透析液チューブが正しくセットされたことを受信する。抽出部１５６は、透析液チューブがセットされた後に操作者が行うべきことを記載した、電子マニュアルの該当頁を電子マニュアル記憶部１５２に記憶されている電子マニュアルの中から抽出する。次に、抽出部１５６は、抽出した頁を表示部１５８に表示させる（Ｓ２０２）。
【００９３】
操作者は、表示部１５８に表示されている電子マニュアルの記載内容を見て、おなかチューブを持つ（Ｓ１０３）。おなかチューブを持ったことは、チューブ接合装置１では検出できないので、操作者は、表示部１５８の画面の表示ボタンをタッチする。表示ボタンがタッチされると、抽出部１５６は、おなかチューブを持った後に操作者が行うべきことを記載した、電子マニュアルの該当頁を電子マニュアル記憶部１５２に記憶されている電子マニュアルの中から抽出する。次に、抽出部１５６は、抽出した頁を表示部１５８に表示させる（Ｓ２０３）。
【００９４】
操作者は、表示部１５８に表示されている電子マニュアルの記載内容を見て、チューブ接合装置１の溝におなかチューブをセットする（Ｓ１０４）。おなかチューブがセットされると、チューブ検出センサ９０から信号が出力される。作動状況検出部１２０は、おなかチューブが正しくセットされたことを認識し、送信部８５から、おなかチューブが正しくセットされたことを送信する。
【００９５】
受信部１５４は、おなかチューブが正しくセットされたことを受信する。抽出部１５６は、おなかチューブがセットされた後に操作者が行うべきことを記載した、電子マニュアルの該当頁を電子マニュアル記憶部１５２に記憶されている電子マニュアルの中から抽出する。次に、抽出部１５６は、抽出した頁を表示部１５８に表示させる（Ｓ２０４）。
【００９６】
操作者は、表示部１５８に表示されている、図１４に示されているような電子マニュアルの記載内容を見て、チューブ接合装置１の被覆カバー３２（図６参照）を閉じる（Ｓ１０５）。被覆カバー３２が閉じられているときには、カバー開閉検出センサから信号が出力される。作動状況検出部１２０は、被覆カバー３２が閉じられたことを認識し、送信部８５から、被覆カバー３２が閉じられたことを送信する。
【００９７】
受信部１５４は、被覆カバー３２が閉じられたことを受信する。抽出部１５６は、被覆カバー３２が閉じられた後に操作者が行うべきことを記載した、電子マニュアルの該当頁を電子マニュアル記憶部１５２に記憶されている電子マニュアルの中から抽出する。次に、抽出部１５６は、抽出した、図１５に示されているような内容の頁を表示部１５８に表示させる（Ｓ２０５）。
【００９８】
操作者は、表示部１５８に表示されている、図１５に示されているような内容を見て、操作部１１０の［接合］ボタン７Ｅ（図５（Ａ）参照）を押す（Ｓ１０６）。作動状況検出部１２０は、接合ボタンが押下げられたことを送信部８５から送信する。
【００９９】
受信部１５４は、［接合］ボタン７Ｅが押し下げられたことを受信する。抽出部１５６は、［接合］ボタン７Ｅが押下げられた後に、電子マニュアルの該当頁を電子マニュアル記憶部１５２に記憶されている電子マニュアルの中から抽出する（Ｓ２０６）。透析液チューブとおなかチューブとの接合には時間がかかるので、表示部１５８は、接合中の画面を表示する（Ｓ１０７）。
【０１００】
透析液チューブとおなかチューブとの接合処理が終了すると、抽出部１５６は、接合処理が終了した後に操作者が行うべきことを記載した、電子マニュアルの該当頁を電子マニュアル記憶部１５２に記憶されている電子マニュアルの中から抽出する。次に、抽出部１５６は、抽出した、図１６に示されているような内容の頁を表示部１５８に表示させる（Ｓ２０７）。
【０１０１】
操作者は、表示部１５８に表示されている、図１６に示されているような内容を見て、チューブ接合装置１の被覆カバー３２（図６参照）を開ける（Ｓ１０８）。被覆カバー３２が開けられているときには、カバー開閉検出センサから信号が出力されない。作動状況検出部１２０は、被覆カバー３２が開けられたことを認識し、送信部８５から、被覆カバー３２が開けられたことを送信する。
【０１０２】
受信部１５４は、被覆カバー３２が開けられたことを受信する。抽出部１５６は、被覆カバー３２が開けられた後に操作者が行うべきことを記載した、電子マニュアルの該当頁を電子マニュアル記憶部１５２に記憶されている電子マニュアルの中から抽出する。次に、抽出部１５６は、抽出した頁を表示部１５８に表示させる（Ｓ２０８）。
【０１０３】
操作者は、表示部１５８に表示されている、図１７に示されているような電子マニュアルの記載内容を見て、チューブ接合装置１の溝からチューブを取り外す（Ｓ１０９）。チューブが取り外されると、チューブ検出センサ９０から信号が出力されなくなる。作動状況検出部１２０は、チューブが取り外されたことを認識し、送信部８５から、チューブが取り外されたことを送信する。
【０１０４】
受信部１５４は、チューブが取り外されたことを受信する。抽出部１５６は、チューブが取り外された後に操作者が行うべきことを記載した、電子マニュアルの該当頁を電子マニュアル記憶部１５２に記憶されている電子マニュアルの中から抽出する。次に、抽出部１５６は、抽出した頁を表示部１５８に表示させる（Ｓ２０９）。
【０１０５】
操作者は、表示部１５８に表示されている、図１８に示されているような電子マニュアルの記載内容を見て、チューブを引き離す（Ｓ１１０）。チューブを引き離したことは、チューブ接合装置１では検出できないので、操作者は、表示部１５８の画面の表示ボタンをタッチする。表示ボタンがタッチされると、抽出部１５６は、チューブを引き離した後に操作者が行うべきことを記載した、電子マニュアルの該当頁を電子マニュアル記憶部１５２に記憶されている電子マニュアルの中から抽出する。次に、抽出部１５６は、抽出した頁を表示部１５８に表示させる（Ｓ２１０）。
【０１０６】
操作者は、表示部１５８に表示されている電子マニュアルの記載内容を見て、チューブを開通する（Ｓ１１１）。
【０１０７】
チューブを開通させたことは、チューブ接合装置１では検出できないので、操作者は、表示部１５８の画面の表示ボタンをタッチする。表示ボタンがタッチされると、抽出部１５６は、チューブを開通させた後に操作者が行うべきことを記載した、電子マニュアルの該当頁を電子マニュアル記憶部１５２に記憶されている電子マニュアルの中から抽出する。次に、抽出部１５６は、抽出した頁を表示部１５８に表示させる（Ｓ２１１）。
【０１０８】
操作者は、表示部１５８に表示されている電子マニュアルの記載内容を見て、被覆カバーを閉じる（Ｓ１１２）。
被覆カバー３２が閉じられているときには、カバー開閉検出センサから信号が出力される。作動状況検出部１２０は、被覆カバー３２が閉じられたことを認識し、送信部８５から、被覆カバー３２が閉じられたことを送信する。
【０１０９】
受信部１５４は、被覆カバー３２が閉じられたことを受信する。抽出部１５６は、被覆カバー３２が閉じられた後に操作者が行うべきことを記載した、電子マニュアルの該当頁を電子マニュアル記憶部１５２に記憶されている電子マニュアルの中から抽出する。次に、抽出部１５６は、抽出した頁を表示部１５８に表示させる。この頁は、作業が終了したことを示すものである（Ｓ２１２）。
【０１１０】
本実施形態に係るチューブ接合システム２００は、チューブ接合装置１の作動状況に連動して、電子マニュアルの頁を自動遷移させる。また、電子マニュアルは、静止画、イラストレーション、アニメーション、動画のいずれかである。このため、複雑な構造のチューブ接合装置１を容易に取り扱うことができ、電子マニュアルの操作性と使い勝手の両方を向上させることができる。
【０１１１】
図１３に示す動作フローチャートは、チューブ接合システム２００の電子マニュアル表示処理方法の手順を示すものでもある。
【０１１２】
すなわち、電子マニュアル表示処理方法は、チューブを接合するチューブ接合装置１（電気機器）の作動状況を検出する段階と、検出した作動状況を送信する段階と、送信した作動状況を受信する段階と、受信した作動状況から電子マニュアルの該当部分を抽出する段階と、抽出した電子マニュアルの該当部分を表示部に表示させる段階と、を含む。
【０１１３】
また、チューブ接合システム２００を構成するチューブ接合装置１（電気機器）と電子マニュアル表示装置１５０のそれぞれに電子マニュアル表示処理プログラムを記憶させることによって、チューブを接合するチューブ接合装置１に、自己の作動状況を検出させる段階と、検出した作動状況を送信させる段階と、を実行させ、また、電子マニュアルを表示する電子マニュアル表示装置１５０に、チューブ接合装置１から送信された作動状況を受信させる段階と、受信した作動状況から前記電子マニュアルの該当部分を抽出させる段階と、抽出した電子マニュアルの該当部分を表示部に表示させる段階と、を実行させることができる。
【０１１４】
以上、実施形態を通じて本発明に係る電気機器、電子マニュアル表示装置、電気機器システム、電子マニュアル表示処理方法および電子マニュアル表示処理プログラムを説明したが、本発明は実施形態において説明した構成に限定されることはなく、特許請求の範囲の記載に基づいて適宜改変することが可能である。
【０１１５】
たとえば、本実施形態では、チューブ接合装置１と電子マニュアル表示装置１５０を別々に設けているが、チューブ接合装置１と電子マニュアル表示装置１５０とを一体化させてチューブ接合システムを構成しても良い。
【０１１６】
本実施形態に係るチューブ接合装置、チューブ接合装置の電子マニュアル表示装置、チューブ接合システム、電子マニュアル表示処理方法および電子マニュアル表示処理プログラムを用いることによって、操作が難しく、その操作に慣れるまでに時間がかかるチューブ接合装置の操作を的確に支援できる。また、電子マニュアルをチューブ接合装置とは別の端末に表示させるようにしたので、チューブ接合装置に液晶などのディスプレイを設ける必要がなく、チューブ接合装置の小型化、低価格化、落下衝撃に対する耐久性の向上を実現させることができる。
【符号の説明】
【０１１７】
１    チューブ接合装置、
８    表示部、
８５    送信部、
８９    ソレノイド検出センサ、
９０    チューブ検出センサ、
１００    制御部、
１１０    操作部、
１２０    作動状況検出部、
１５０    電子マニュアル表示装置、
１５２    電子マニュアル記憶部、
１５４    受信部、
１５６    抽出部、
１５８    表示部、
２００    チューブ接合システム、
ＢＡ    バッテリ。
【図１】
2019063406.tif 000003
【図２】
2019063406.tif 000004
【図３】
2019063406.tif 000005
【図４】
2019063406.tif 000006
【図５】
2019063406.tif 000007
【図６】
2019063406.tif 000008
【図７】
2019063406.tif 000009
【図８】
2019063406.tif 000010
【図９】
2019063406.tif 000011
【図１０】
2019063406.tif 000012
【図１１】
2019063406.tif 000013
【図１２】
2019063406.tif 000014
【図１３】
2019063406.tif 000015
【図１４】
2019063406.tif 000016
【図１５】
2019063406.tif 000017
【図１６】
2019063406.tif 000018
【図１７】
2019063406.tif 000019
【図１８】
2019063406.tif 000020